(57)【要約】【課題】携帯型テレビ受信機の消費電力が大きい。【解決手段】イメージ妨害判定器４４は、受信部３９や、ＧＰＳ受信器４３から取得した希望受信チャンネルに対する現在位置におけるイメージ妨害有無を判定するとともに、電源制御回路４７は、前記イメージ妨害判定器４４がイメージ妨害の発生しないと判定した場合に、イメージ・リジェクション・ミキサをダブル・バランス・ミキサ回路へ切り替えて動作させるものである。  これにより、イメージ妨害が発生しないチャンネルを受信する場合には、ダブル・バランス・ミキサ回路として動作させることができるので、消費電力の小さな混合器を実現できる。また、イメージ・リジェクション・ミキサ回路として駆動すれば、イメージ妨害を低減することができる。【選択図】図１
2006067284.tif 000002
【特許請求の範囲】
【請求項１】
高周波信号が入力される高周波信号入力端子と、この高周波信号入力端子に接続される同調フィルタと、この同調フィルタの出力がその一方の入力に供給されるとともに、他方の入力には局部発振器の出力が供給されるダブル・バランス・ミキサ回路と、このダブル・バランス・ミキサ回路の出力が接続された出力端子と、前記同調フィルタと前記出力端子との間に挿入されるとともに、前記局部発振器の出力が供給されるイメージ・リジェクション・ミキサ回路と、少なくともこのイメージ・リジェクション・ミキサ回路に接続されるとともに、前記イメージ・リジェクション・ミキサ回路へ供給する電源を制御する電源制御回路と、この電源制御回路の入力に接続されたイメージ妨害判定器と、前記局部発振器にループ接続されたＰＬＬ回路とを備え、前記イメージ妨害判定器は、希望受信チャンネルに対する現在位置でのイメージ妨害有無を判定するとともに、前記電源制御回路は、前記イメージ妨害判定器がイメージ妨害の発生しないと判定した場合に、前記ダブル・バランス・ミキサ回路として動作させる高周波受信装置。
【請求項２】
イメージ・リジェクション・ミキサ回路を構成する混合器の少なくともひとつは、ダブル・バランス・ミキサ回路の混合器と共有した請求項１に記載の高周波受信装置。
【請求項３】
イメージ・リジェクション・ミキサ回路は、互いに１８０度位相が異なった信号が出力される局部発振器と、この局部発振器の出力に接続されるとともに互いに９０度位相が異なった４つの信号を出力する第１の分周器と、この第１の分周器の出力が接続されるとともに、前記第１の分周器の出力を合成し、互いに１８０度位相が異なった信号を出力する第１のベクトル合成器と、この第１のベクトル合成器の出力が一方の入力へ夫々に供給されるとともに、他方の入力には高周波信号が入力される第１の混合器と、前記第１の分周器の出力が接続されるとともに、前記第１の分周器の出力を合成し、前記第１のベクトル合成器とは９０度位相が異なった信号を出力する第２のベクトル合成器と、この第２のベクトル合成器の出力が一方の入力へ夫々に供給されるとともに、他方の入力には高周波信号が入力される第２の混合器と、前記第１の混合器と第２の混合器のいずれか一方の出力と出力端子との間に挿入された移相器と、前記分周器と前記混合器のいずれか一方との間には、前記分周器の出力が前記ベクトル合成器を介さずに前記混合器のいずれか一方へ供給される如くに設けられた混合器入力切替手段とを設け、イメージ妨害判定器が、受信チャンネルにおいてイメージ妨害を発生すると判定した場合に、前記混合器入力切替手段は、前記分周器の出力を前記第１のベクトル合成器を介さずに前記第１の混合器へ供給するとともに、電源制御回路は、少なくとも前記第１のベクトル合成器と前記第１の混合器のいずれか一方をオフとする請求項３に記載の高周波受信装置。
【請求項４】
第１の分周器と第１のベクトル合成器の間と、前記第１の分周器と第２のベクトル合成器との間とに挿入された周波数切替え手段を有し、前記周波数切替え手段は、前記第１の分周器のうちの互いに１８０度位相が異なる２つの出力が接続された第２の分周器と、前記第１の分周器と前記第２の分周器の出力を選択的に前記第１のベクトル合成器と前記第２のベクトル合成器とへ供給する分周器切替え手段とより成り、前記第２の分周器は、互いに位相が９０度異なった４つの信号を出力するとともに、高周波信号は、第１の周波数帯域の放送信号と、この第１の周波数帯域よりも高い周波数の第２の周波数帯域の放送信号とを含む信号とし、前記第１の周波数帯域の放送信号を受信する場合には、前記分周器切替え手段で前記第２の分周器側の出力を前記第１、第２の混合器へ供給し、前記第２の周波数帯域の放送信号を受信する場合には、前記分周器切替え手段で前記第１の分周器側の出力を前記第１、第２の混合器へ供給するとともに、前記第２の分周器はオフとする請求項１に記載の高周波受信装置。
【請求項５】
アンテナに接続されて現在の位置データを取得する位置データ取得手段と、請求項１に記載の高周波受信装置と、この高周波受信装置の出力が接続された信号処理部と、この信号処理部の出力が接続された表示器と音声出力器とを有した携帯機器において、前記イメージ妨害判定器には、前記位置データ取得手段の出力が一方の入力に接続されるとともに、他方の入力にはメモリが接続され、前記メモリには前記位置データに対応する受信可能な複数の周波数を記憶し、前記イメージ妨害判定器は、前記位置データ取得手段から入手した位置データに対応して、受信するチャンネルがイメージ妨害を発生するチャンネルであるかを判定し、受信するチャンネルがイメージ妨害を発生するチャンネルでないと判定した場合に、イメージ・リジェクション・ミキサ回路をオフとし、ダブル・バランス・ミキサ回路へと切り替える携帯機器。
【発明の詳細な説明】
【技術分野】
【０００１】
本発明は、テレビジョン受信チューナ等に用いられる混合器と、これをに用いた高周波受信装置とこれらを用いた携帯受信装置とに関するものである。
【背景技術】
【０００２】
以下、従来の高周波受信装置について図面を用いて説明する。図１４は従来の高周波受信装置のブロック図である。
【０００３】
図１４において１は入力端子である。この入力端子１には５５．２５ＭＨｚから８０１．２５ＭＨｚまでの高周波信号が入力される。２は、入力端子１に入力された高周波信号が供給されるとともに、１つの可変容量ダイオードから構成された単同調型のフィルタである。この単同調フィルタ２の同調周波数は、ＵＨＦ放送帯域（３６７．２５ＭＨｚから８０１．２５ＭＨｚ）の間であり、その周波数可変端子２ａに供給される同調電圧を利用して同調周波数を変化させるものである。
【０００４】
３は単同調フィルタ２の出力が接続された高周波増幅器であり、このＵＨＦ放送帯域の信号を増幅させるものである。４は高周波増幅器３の出力が接続された複同調フィルタである。この複同調フィルタ４は２つの可変容量ダイオードから構成され、周波数可変端子４ａに供給される同調電圧を利用して同調周波数を変化させるものである。
【０００５】
５は混合器であり、複同調フィルタ４の出力信号がその一方に入力されるとともに、局部発振器６の出力信号が分周器７を介してその他方に入力される。この混合器５は、複同調フィルタ４を通過したＵＨＦ放送帯域の信号と、局部発振器６の発振信号とを混合し、中間周波信号４５．７５ＭＨｚへ変換するものである。８は、混合器５の出力が接続された中間周波フィルタであり、占有帯域６ＭＨｚで不要信号を減衰させるものである。９は中間周波フィルタ８の出力信号が、中間周波増幅器を介して供給される出力端子である。
【０００６】
そしてこれらの単同調フィルタ２、高周波増幅器３、複同調フィルタ４、混合器５及び中間周波フィルタ８で、ＵＨＦ信号受信部１０を構成している。
【０００７】
次に１１は、入力端子１の信号が供給されるＶＨＦ信号受信部である。そしてこのＶＨＦ信号受信部１１は５５．２５ＭＨｚから３６１．２５ＭＨｚまでのＶＨＦ放送帯域の信号を受信するものであり、単同調フィルタ１２と高周波増幅器１３と複同調フィルタ１４と混合器１５とで構成されている。
【０００８】
まず、１２は１つの可変容量ダイオードから構成された単同調フィルタであり、周波数可変端子１２ａに供給される同調電圧を利用して同調周波数を変化させるものである。１３は単同調フィルタ１２の出力が接続された高周波増幅器であり、ＶＨＦ放送帯域の信号を増幅するものである。
【０００９】
１４は高周波増幅器１３の出力が接続された複同調フィルタである。この複同調フィルタ１４は２つの可変容量ダイオードから構成され、周波数可変端子１４ａに供給される同調電圧を利用して同調周波数を変化させるものである。１５は２個の混合器と移相器とによって構成されたイメージ・リジェクション・ミキサ（以降ＩＲＭという。）である。このＩＲＭ１５は、複同調フィルタ１４の出力信号がその一方に入力されるとともに、局部発振器６の出力信号が分周器１６を介してその他方に入力される。このＩＲＭ１５は複同調フィルタ１４を通過したＶＨＦ放送帯域の信号と、局部発振器６の発振信号とを混合し、中間周波信号４５．７５ＭＨｚへ変換するものである。そして、この混合器１５の出力は、中間周波フィルタ８の入力に接続される。
【００１０】
次に、１７は発振部であり、この発振部１７の入力１７ａ及び１７ｂには同調部１８が接続されている。この同調部１８は、可変容量ダイオード１９とキャパシタ２０の直列接続体２１と、この直列接続体２１と並列に接続したインダクタ２２により構成されている。
【００１１】
２３はＰＬＬ回路であり、このＰＬＬ回路の入力には、発振部１７の出力が接続されている。そしてこのＰＬＬ回路２３の出力端子２３ａから出力される同調電圧が、同調部１８の可変容量ダイオード１９ならびに単同調フィルタ２、複同調フィルタ４、単同調フィルタ１２、及び複同調フィルタ１４の可変容量ダイオードに供給され、局部発振器６に発振周波数と、単同調フィルタ２、複同調フィルタ４、単同調フィルタ１２、及び複同調フィルタ１４の同調周波数とを制御していた。
【００１２】
なお、この出願の発明に関連する先行技術文献情報としては、例えば、特許文献１、特許文献２及び特許文献３が知られている。
【特許文献１】特開２０００−２９５５３９号公報
【特許文献２】特開２００２−１１８７９５号公報
【特許文献３】特開平１−２６５６８８号公報
【発明の開示】
【発明が解決しようとする課題】
【００１３】
しかしながらこのような従来の高周波受信装置においては、受信チャンネルにイメージ妨害を発生する周波数の信号の有無に係わらず２個の混合器と２個の移相器を動作させていたので、消費電力が大きくなるという課題を有し、これは特にバッテリー駆動される携帯型受信装置においては、非常に重要な課題であった。
【００１４】
そこで、本発明は、消費電力を小さくできる高周波受信装置を提供することを目的としたものである。
【課題を解決するための手段】
【００１５】
この目的を達成するために本発明では、希望受信チャンネルに対する現在位置でのイメージ妨害有無を判定し、イメージ妨害有りとした場合には、電源制御回路が、イメージ・リジェクション・ミキサ回路の一部をオフとすることによって、イメージ・リジェクション・ミキサ回路での動作から、ダブル・バランス・ミキサ回路で動作するように切り替えるものである。
【発明の効果】
【００１６】
以上のように本発明によれば、イメージ妨害判定器は、希望受信チャンネルに対する現在位置でのイメージ妨害有無を判定するとともに、前記電源制御回路は、前記イメージ妨害判定器がイメージ妨害の発生しないと判定した場合に、前記ダブル・バランス・ミキサ回路として動作させるものである。
【００１７】
これにより、イメージ妨害が発生しないチャンネルを受信する場合には、ダブル・バランス・ミキサ回路として動作させることができるので、消費電力の小さな混合器を実現できる。また、イメージ・リジェクション・ミキサ回路として駆動すれば、イメージ妨害を低減することができる。
【発明を実施するための最良の形態】
【００１８】
（実施の形態１）
以下、本発明の実施の形態１について図面を用いて説明する。図１は、本実施の形態１における携帯型受信装置のブロック図である。図１において、３０は、テレビ放送受信用のアンテナであり、このアンテナ３０ではＶＨＦ放送帯域（第１の周波数帯域の一例として用いた）と、ＵＨＦ放送帯域（第２の周波数帯域の一例として用いた）までの高周波信号が入力される。ここでは、約５５．２５ＭＨｚから８０１．２５ＭＨｚの間の周波数となる。３１はアンテナの出力が接続された高周波受信装置であり、入力された高周波信号の中から希望するチャンネルの信号を選局し、中間周波信号（４５．７５ＭＨｚ）へ変換して出力するものである。
【００１９】
３２は、高周波受信装置の出力が接続された復調器であり、この復調器３２では、高周波受信装置から出力された中間周波信号を復調する。そして３３は、この復調器の出力が接続された復号器であり、この復号器３３は、ビタビ訂正とリードソロモン訂正とが行われ、信号処理部３４を介してスピーカ３５や液晶表示器３６へ出力される。
【００２０】
３７は携帯電話用アンテナであり、この携帯電話用アンテナ３７には約８００ＭＨｚの携帯電話信号が入力される。３８は、この携帯電話用アンテナ３７の出力が供給されるデュプレクサであり、このデュプレクサ３８の出力は、受信部３９（位置データ取得手段の一例として用いた）を介し信号データへ変換し、信号処理部３４へ出力される。
【００２１】
一方マイク４０に入力された音声信号は、信号処理部３４によってデジタル信号へ変換され、送信部４１へ送出される。そしてこの音声信号は、送信部４１によって携帯電話信号へ変換され、デュプレクサ３８を介してアンテナ３７から空気中へ放射される。
【００２２】
４２は、ＧＰＳ用のアンテナであり、このＧＰＳ用アンテナ４２に入力された信号は、ＧＰＳ受信器４３（他の例の位置データ取得手段として用いた）へ供給されて、携帯受信機の現在位置の情報を出力する。
【００２３】
４４は、受信部３９の出力と、ＧＰＳ受信器４３の出力と、受信チャンネルデータ発生器４５の出力とが接続されたイメージ妨害判定器であり、このイメージ妨害判定器４４には、位置データに対応して受信可能なチャンネル周波数データのテーブルを予め格納されたメモリ４６も接続されている。そして、このイメージ妨害判定器４４の出力は、高周波受信装置３１に設けられた電源制御器４７に接続される。そして電源制御器４７は、高周波受信装置３１の分周器４８や混合器４９へ接続され、これらの分周器４８や混合器４９の電源をオン・オフさせる。このとき、混合器４９や分周器４８の電源がオンである場合（以降、通常モードという）には、混合器４９はイメージ・リジェクション・ミキサ（以降、ＩＲＭという）として動作させる。一方、分周器４８や混合器４９の電源がオフである場合（以降、省電力モードという）には、ダブル・バランス・ミキサ（以降、ＤＢＭという）として動作させる。
【００２４】
なお、本実施の形態１においては、受信部３９の出力がメモリ４６へも接続されており、携帯電話を用いてやれば、インターネットＷｅｂなどから現在の位置で受信可能なチャンネルの周波数テーブルなどを取得することができる。これによって、放送局の増設などによる受信可能チャンネルの変化へも対応できる。
【００２５】
ではここで、テレビ放送などのように広帯域な高周波信号を受信する高周波受信装置におけるイメージ妨害の発生について、日本におけるＶＨＦ放送の４チャンネル（約１７３ＭＨｚ）を受信する場合について例を挙げて説明する。本実施の形態１における中間周波信号は、４５．７５ＭＨｚであるので、イメージ妨害を発生させる周波数は、約２１９ＭＨｚ（日本でのＶＨＦ１２チャンネルの周波数と同じ）となる。つまり、４チャンネルと１２チャンネルの双方を受信可能な地域では、４チャンネルを受信する場合に１２チャンネルの信号がイメージ妨害となる。逆に、現在位置が１２チャンネルを受信できない地域である場合は、４チャンネルを受信してもイメージ妨害は発生しないこととなる。
【００２６】
では次に、この高周波受信装置３１の動作を説明する。まずイメージ妨害判定器４４は、受信部３９あるいはＧＰＳ受信器４３から現在位置のデータを取得し、メモリ４６に記憶されたテーブルからこの現在位置に対応する受信可能なチャンネル周波数のデータを取得する。一方、この携帯型受信装置の操作者が、キーボード（図示せず）などから受信希望チャンネルを入力すると、受信チャンネルデータ発生器４６が、受信希望チャンネルに応じた受信希望チャンネルデータを発生させ、後述するＰＬＬ回路７８とイメージ妨害判定器４４とへ供給する。
【００２７】
そしてこのイメージ妨害判定器４４では、現在位置における受信可能なチャンネルの中で、受信希望チャンネルにおいてイメージ妨害を生じさせるチャンネルの有無を判定する。
【００２８】
以上のような構成により、イメージ妨害判定器４４が希望現在位置における受信可能なテレビ放送の中に受信チャンネルに対するイメージ妨害が発生するチャンネルが存在しないと判定した場合には、省電力モードで受信する。つまり、分周器４８や混合器４９の電源をオフとし、ＤＢＭとして動作するので、高周波受信装置の消費電力を小さくすることができることとなる。
【００２９】
一方、イメージ妨害判定器４４が希望現在位置における受信可能なテレビ放送の中に受信チャンネルに対するイメージ妨害が発生するチャンネルが存在すると判定した場合には、通常モードで受信する。
【００３０】
なお、本実施の形態１においては、復号器３３の出力と電源制御器４７の入力との間には、受信信号のビット・エラー率を判定する信号品質判定器５０が挿入される。この信号品質判定器５０では、復号器３３からのビット・エラー率が０．００００２以上になると、電源制御器４７に対して分周器４８と混合器４９の一部をオンする旨の信号を送出する。例えば、省電力モードでの受信において、信号品質判定器５０におけるビット・エラー率が０．０００２以上となった場合、電源制御器４７が分周器４８と混合器４９をオンとすることで、通常モードでの受信に切り替える。これによって、混合器４９はＩＲＭとして動作させられるので、イメージ妨害によるビット・エラー率を改善することができる。
【００３１】
では次に、本実施の形態１における高周波受信装置３１について図面を用いて詳細に説明する。図２は実施の形態１における高周波受信装置のブロック図である。図２において、５１はアンテナ３０が接続された入力端子であり、５２は入力端子５１に接続されるとともに、１つの可変容量ダイオードを含む単同調フィルタである。この単同調フィルタ５２は、ＵＨＦ放送帯域３６７．２５ＭＨｚから８０１．２５ＭＨｚまでの間で同調周波数を変化させるものであり、その周波数可変端子５２ａに供給される同調電圧で同調周波数が変化する。
【００３２】
５３は単同調フィルタ５２の出力が接続された高周波増幅器であり、このＵＨＦ放送帯域の信号を増幅するものである。５４は高周波増幅器の出力が接続された複同調フィルタである。この複同調フィルタ５４は２つの可変容量ダイオードを含み、周波数可変端子５４ａに供給される同調電圧を利用して同調周波数を変化させるものである。
【００３３】
５５は混合器であり、複同調フィルタ５４の出力５４ｂの信号がその一方に入力されるとともに、他方の入力には局部発振器５６の出力信号が入力される。この混合器５５は複同調フィルタ５４を通過したＵＨＦ放送帯域の信号と、局部発振器５６の発振信号とを混合し、４５．７５ＭＨｚの中間周波信号へ変換するものであり、ＤＢＭ構成としている。７９は、混合器５５の出力が供給される出力端子であり、５８は出力端子７９の信号が供給される中間周波フィルタである。なお、本実施の形態１において、中間周波フィルタ５８は、占有帯域６ＭＨｚで不要信号を減衰させるものである。５９は中間周波フィルタ５８の出力信号が中間周波増幅器を介して供給される出力端子である。
【００３４】
そしてこれらの単同調フィルタ５２、高周波増幅器５３、複同調フィルタ５４、混合器５５及び中間周波フィルタ５８によってＵＨＦ信号受信部６０を構成している。
【００３５】
次に６１は、入力端子５１の信号が供給されるＶＨＦ信号受信部であり、５５．２５ＭＨｚから３６１．２５ＭＨｚまでのＶＨＦ放送帯域の信号を受信するものである。なお、このＶＨＦ信号受信部６１は、単同調フィルタ６２、高周波増幅器６３、複同調フィルタ６４及び混合器４９とがこの順に接続されている。
【００３６】
６２は１つの可変容量ダイオードを含む単同調フィルタであり、周波数可変端子６２ａに供給される同調電圧を利用して同調周波数を変化させるものである。６３は単同調フィルタ６２の出力が接続された高周波増幅器であり、ＶＨＦ放送帯域の信号を増幅するものである。
【００３７】
６４は高周波増幅器６３の出力が接続された複同調フィルタである。この複同調フィルタ６４は２つの可変容量ダイオードを含み、周波数可変端子６４ａに供給される同調電圧を利用して同調周波数を変化させるものである。
【００３８】
４９は混合器であり、複同調フィルタ６４の出力６４ｂの信号がその一方に入力されるとともに、局部発振器５６の出力信号が分周器４８を介してその他方に入力されている。ここで、この混合器４９は、複同調フィルタ６４を通過したＶＨＦ放送帯域の信号と局部発振器５６の信号とを混合して、中間周波信号（４５．７５ＭＨｚ）へ変換するものである。そして、この混合器４９の出力は、出力端子７９を介して中間周波フィルタ５８へ供給される。
【００３９】
ここで分周器４８は、ＶＨＦロウバンド放送帯域受信時の分周器４８ａとＶＨＦハイバンド放送帯域受信時の分周器４８ｂとを有している。そして６７は、これら局部発振器５６の出力や分周器４８ａ、４８ｂの出力を選択的に切り替えて、混合器５５、４９への供給を切り替えるスイッチ（分周器切替手段の一例として用いた）である。
【００４０】
次に局部発振器５６は、インダクタ６８と、このインダクタ６８と並列に可変容量ダイオード６９とキャパシタ７０との直列接続体によって構成された同調部と、この直列接続体の両端に接続された発振部７１と、同調部と並列に接続されるとともにその出力が発振部７１に接続された発振周波数変化手段とによって構成されている。
【００４１】
そしてこの発振周波数変化手段は、可変容量ダイオード６９と並列に接続されたキャパシタ７２とキャパシタ７３、そしてこれらのキャパシタ７２、７３の夫々に接続された切り替えスイッチ７４ａ、７４ｂ、キャパシタ７０と並列に接続されたキャパシタ７５とキャパシタ７６、そしてこれらのキャパシタ７５、７６の夫々に接続された切り替えスイッチ７７ｂ、７７ａとから構成されている。
【００４２】
本実施の形態１においては、これらの切り替えスイッチ７４，７７を切り替えることによって、発振用可変容量ダイオード６９に直列に挿入される容量値および、発振用可変容量ダイオード６９に並列に挿入される容量値を変化させることができるので、同調部の同調周波数を変化させ、局部発振器の発振周波数を微少変化させる。
【００４３】
なお、本実施の形態１では、切り替えスイッチ７４、７７によって、発振用可変容量ダイオード６９に直列、並列に挿入される容量値を変化させているが、これは切り替えスイッチ７４，７７とキャパシタ７２，７３，７５，７６に代えて、可変容量ダイオードを用いても良い。この場合、切り替えスイッチ７７ｂ，７７ａとキャパシタ７２，７３，７５，７６に代えて設けた可変容量ダイオード（以降、周波数微少変化ダイオードという）は、電圧に応じて容量を変化させることができるので、局部発振器の発振周波数を精度良く変化させることができる。
【００４４】
ただしこの場合、周波数微少変化ダイオードへの供給電圧を制御する電圧制御回路を設けることが必要である。そしてこの電圧制御回路は、供給される受信チャンネルのデータに応じて、周波数微少変化ダイオードへの供給電圧を変化させ、局部発振器の発振周波数を微少変化させる。
【００４５】
７８はＰＬＬ回路であり、このＰＬＬ回路７８の入力には、局部発振器５６の発振信号が分周器４８で分周されて供給される。そしてこのＰＬＬ回路７８は、単同調フィルタ５２、複同調フィルタ５４、単同調フィルタ６２及び複同調フィルタ６４の可変容量ダイオード８２、８４、８６、８９、９６、９８、１０２、１０７（図３、図４）及び発振用可変容量ダイオード６９へ同調電圧を供給する。
【００４６】
図３は、本実施の形態１におけるＵＨＦ信号受信部６０における単同調フィルタ５２及び複同調フィルタ５４の回路図である。単同調フィルタ５２は、２つのインダクタ（８１，８３）と、２つの可変容量ダイオード８２，８４より構成される。なお、５２ａは周波数可変端子であり、抵抗を介して可変容量ダイオード８２と８４のカソード側に接続される。この単同調フィルタ５２では、ＰＬＬ回路７８の出力から供給される同調電圧によって、可変容量ダイオード８２と８４の容量が変化し、同調周波数が変化する。尚、本実施の形態においては、この単同調フィルタ５２ではＵＨＦ帯の信号を通過させるようなフィルタの定数としている。
【００４７】
次に、複同調フィルタ５４について説明する。複同調フィルタ５４は、２つの可変容量ダイオード８６，８９、２つのインダクタ８７，８８とから構成されている。なお、５４ａ及び５４ｂは周波数可変端子であり、それぞれ可変容量ダイオード８６と可変容量ダイオード８９のカソード側に接続し、ＰＬＬ回路７８の出力から同調電圧が供給される。そして、この複同調フィルタ５４では、周波数可変端子５４ａ及び５４ｂに供給される同調電圧に応じて可変容量ダイオード８６及び８９の容量を変化させ、同調周波数を変化させることができる。
【００４８】
図４は、本実施の形態１におけるＶＨＦ信号受信部６１における単同調フィルタ６２及び複同調フィルタ６４の回路図である。単同調フィルタ６２は、５つのインダクタ９１，９２，９３，９４，９７、スイッチ９５と２つの可変容量ダイオード９６，９８とから構成されている。なお６２ａは、周波数可変端子であり、可変容量ダイオード９８のカソード側に抵抗を介して接続され、ＰＬＬ回路７８の出力から同調電圧が供給される。そして、この単同調フィルタ６２では、周波数可変端子６２ａに供給される同調電圧に応じて可変容量ダイオード９８及び９６の容量が変化し、同調周波数が変化する。尚、本実施の形態においては、この単同調フィルタ６２ではＶＨＦ帯の信号を通過させるようなフィルタの定数としている。
【００４９】
次に、複同調フィルタ６４は、２つの可変容量ダイオード１０２，１０７、インダクタ１０３，１０４，１０５，１０６と、スイッチ１０８とから構成されている。なお、６４ａは周波数可変端子であり、それぞれ抵抗を介して可変容量ダイオード１０２と１０７のカソード側に接続され、ＰＬＬ回路７８から同調電圧が供給される。そして、この複同調フィルタ６４では、周波数可変端子６４ａに供給される同調電圧に応じて可変容量ダイオード１０２及び１０７の容量を変化させ、同調周波数を変化させることができる。
【００５０】
次に、本実施の形態１における高周波受信装置で、ＴＶ放送を受信する場合について説明する。まず、ＵＨＦ放送帯域を受信する場合、スイッチ７４ａと７４ｂおよびスイッチ７７ａと７７ｂとをＯＦＦとし、スイッチ６７は分周器４８の出力が接続されるようにスイッチ６７ａがＯＮされる。
【００５１】
次に、ＶＨＦハイバンド放送帯域を受信する場合、スイッチ７４ａ及びスイッチ７７ａをＯＮとし、スイッチ７４ｂ及びスイッチ７７ｂをＯＦＦとする。また、スイッチ６７は分周器４８ａの出力が接続されるようにスイッチ６７ｂをＯＮとし、スイッチ９５，１０８，１０９（図４に示す）をＯＮとする。
【００５２】
そして、ＶＨＦロウバンド放送帯域を受信する場合は、スイッチ７４ａ及び７７ａをＯＦＦとし、スイッチ７４ｂ及び７７ｂをＯＮとする。また、スイッチ６７は分周器４８ｂの出力が接続されるように６７ｃをＯＮとし、スイッチ９５、１０８及び１０９をＯＦＦとする。
【００５３】
なお、高周波増幅器５３、６３はＵＨＦ放送帯域を受信する場合に、高周波増幅器５３をＯＮとし、ＶＨＦ放送帯域を受信する場合に、高周波増幅器６３をＯＮとする。これは、受信しない側の高周波増幅器をＯＦＦとすることによって、同調フィルタ５２あるいは６２を通過した高周波信号が、混合器５５あるいは４９へ供給されない。これによって、受信したい高周波信号のみの信号が中間周波信号へと変換されることとなる。
【００５４】
尚、本発明の実施の形態１において、局部発振器５６のインダクタ６８は２０ｎＨであり、キャパシタ７０は２２ｐＦであり、可変容量ダイオード６９は２Ｖから２５Ｖにおいて３１ｐＦから２．７ｐＦまで可変させることができる可変容量ダイオードを用いている。
【００５５】
この様に構成された局部発振器５６は、ＵＨＦ放送帯域受信時には、３５０ＭＨｚから８５０ＭＨｚの周波数を発振し、ＶＨＦハイバンド放送帯域受信時には、３５８ＭＨｚから８１４ＭＨｚまでの周波数を発振し、ＶＨＦロウバンド放送帯域受信時には、４０４ＭＨｚから６９２ＭＨｚまでの周波数を発振することができる。
【００５６】
そしてさらに、ＵＨＦ放送帯域受信時には、局部発振器５６の発振信号はそのまま混合器５５に供給することにより４５．７５ＭＨｚの中間周波信号を得ている。一方ＶＨＦハイバンド放送帯域受信時には、局部発振器５６の発振信号は分周器４８ａで１／２に分周されて混合器４９に供給されることにより４５．７５ＭＨｚの中間周波信号を得ている。最後にＮＴＳＣ方式の放送においてはＶＨＦロウバンド放送帯域受信時に、局部発振器５６の発振信号は分周器４８ｂで１／４に分周されて混合器４９に供給することにより４５．７５ＭＨｚの中間周波信号を得ている。そして電源制御器４７は、これらの分周器４８ａ，４８ｂと混合器４９へ接続されて、電源制御端子４７ａに入力されるイメージ妨害判定器４４の出力に応じて、分周器４８ａ，４８ｂと混合器４９をオン・オフする。
【００５７】
ここで、各チャンネルにおける単同調フィルタ５２、６２や複同調フィルタ５４、６４の同調電圧と、局部発振器の同調電圧を、各放送帯域において略同じ値としておくことが重要である。つまり、単同調フィルタ５２、６２や複同調フィルタ５４、６４のチャンネルに対しての同調電圧特性を、全ての放送帯域で近似させておく必要がある。これは、混合器５５や４９で中間周波数信号を得る為に、局部発振器５６と分周器とによって単同調フィルタ５２、６２や複同調フィルタ５４、６４の同調周波数と連動して常に中間周波数だけ高い信号を得ることが必要であるためである。そして、このことは、高周波受信装置において高周波信号を受信するにおいて、最も重要な基本性能である。
【００５８】
そこで、本発明の実施の形態１においては、スイッチ７４及び７７によってキャパシタ７２、７３およびキャパシタ７５、７６を切り替えることで、局部発振器５６の構成する同調部の容量を微少変化させて、各受信放送帯域に適した同調電圧に対する局部発振周波数特性を得ている。これにより、例えば米国のテレビ放送においては、ＶＨＦロウバンド放送帯域からＵＨＦ放送帯域までの（５５．２５ＭＨｚから８０１．２５ＭＨｚ）連続したチャンネルを全部受信することができる。
【００５９】
なおここで、スイッチ７４を切り替えてキャパシタ７２、７３のいずれかをオンすると、発振用可変容量ダイオード６９と並列に容量が挿入される。これによって、発振用可変容量ダイオード６９の容量が小さい場合に、局部発振器５６の発振周波数に対する発振用可変容量ダイオード６９の容量値の寄与度が小さくなる。従って、発振用可変容量ダイオード６９の容量が小さくなる局部発振器５６の高域での発振周波数を特に変化させることができる。
【００６０】
また、スイッチ７７を切り替えて、キャパシタ７５、７６のいずれかをオンとすると、キャパシタ７０に並列に容量が挿入されることとなる。これによって、発振用可変容量ダイオード６９と直列に接続される容量が小さくなる方向へ変化するので、この局部発振器５６における発振周波数に対し発振用可変容量ダイオード６９の寄与度が大きくなり、同調電圧に対する発振周波数の範囲を変化させることができる。
【００６１】
これにより、これらのキャパシタ７２、７３、７５、７６の容量値を適宜選択すれば、ＵＨＦ放送帯域、ＶＨＦハイバンド放送帯域、ＶＨＦロウバンド放送帯域それぞれの周波数帯域において、夫々に独立してチャンネル（周波数）と同調電圧との特性を決定することができる。従って、各帯域における局部発振器５６の受信チャンネル（周波数）に対する同調電圧特性を、単同調フィルタ５２、６２及び複同調フィルタ５４、６４の受信チャンネル（周波数）に対する同調電圧特性に近似させる。そしてさらに、スイッチ７４、７７をオン、オフし、受信する周波数帯域に応じてこれらキャパシタ７２、７３、７５、７６を切り替えることによって、ＶＨＦ放送帯域からＵＨＦ放送帯域までの５５．２５ＭＨｚから８０１．２５ＭＨｚまでの連続した米国のテレビジョン全チャンネルが受信できることとなる。
【００６２】
なお、実施の形態１における高周波受信装置においては、発振用可変容量ダイオード６９、可変容量ダイオード８４、８６、８９（図３）及び可変容量ダイオード９８、１０２、１０７（図４）の全てについて、略同じ容量変化特性を有したものを使用している。これによって、同調電圧に対する単同調フィルタ５２、６２や複同調フィルタ５４、６４そして局部発振器５６における同調部の同調電圧に対する同調周波数特性をそれぞれ近似させ易くしている。
【００６３】
なおここで、これら発振用可変容量ダイオード６９、可変容量ダイオード８４、８６、８９（図３）及び可変容量ダイオード９８、１０２、１０７（図４）には、ＶＨＦ放送帯域に対応する単同調フィルタ６２の同調周波数を変化させるために必要な可変容量ダイオード９８と同じ容量変化比を有するものを使用している。
【００６４】
その理由としては、ＶＨＦバンド、特にＶＨＦハイバンドに対して最も大きな容量変化比が必要となるためである。これによって発振用可変容量ダイオード６９、可変容量ダイオード８４、８６、８９（図３）及び可変容量ダイオード９８、１０２、１０７（図４）には全て同じ品番のものを使用することが出来るので、部品の管理は容易になる。また、部品装着時の部品間違いなどが生じ難くなる。
【００６５】
では、次に本実施の形態１における分周器４８と混合器４９とについて図面を用いて詳細に説明する。図５は、分周器４８と混合器４９の詳細図である。図５において、５６は平衡回路によって構成した局部発振器であり、位相が０度と１８０度との信号を出力する。
【００６６】
２０１は局部発振器５６の出力端子が接続された１／２分周器であり、入力された信号を１／２の周波数へ分周するものであり、これらの分周器２０１からは、互いに９０度位相が異なる４つの信号が出力される。次に、２０５はスイッチ２０４の端子２０４ｂの出力が接続された１／２分周器であり、この分周器２０５からの４つの出力の夫々は、スイッチ６７の夫々の入力端子６７ｃへ供給される。ここで１／２分周器２０５は、１／２分周器２０１から互いに１８０度の位相差を持った信号が入力され、互いに９０度の位相差を有した４つの信号を出力する。
【００６７】
混合器４９は、混合器４９ａと混合器４９ａの出力に接続された９０度移相器４９ｃと、この混合器４９ａと移相器４９ｃとの直列接続体と並列に接続された混合器４９ｂより構成されている。
【００６８】
そして、この混合器４９ａの一方の入力には複同調フィルタ６４の出力６４ｂが接続されるとともに、他方の入力にはスイッチ６７の共通端子が接続されている。一方、混合器４９ｂの一方の入力には複同調フィルタ６４の出力６４ｂが接続されるとともに、他方の入力にはスイッチ６７の共通端子が接続されている。そしてこれらの混合器４９ａの出力と９０度移相器４９ｃの出力とが出力端子７９へ供給される。
【００６９】
ではまず本実施の形態１における通常モードについて説明する。ＵＨＦバンド受信時は、分周器２０１，２０５、ベクトル合成器２０２，２０３、混合器４９、移相器４９ｃはオフとしている。
【００７０】
次に、ＶＨＦハイバンド受信時には、スイッチ２０４を出力端子２０４ａ側へ接続するとともにスイッチ６７を入力端子６７ｂ側へ接続する。そして、分周器２０１はオンとし、分周器２０５はオフとする。これにより局部発振器５６の信号の周波数が１／２へ分周される。
【００７１】
そして最後に、ＶＨＦロウバンド受信時には、スイッチ２０４を出力端子２０４ｂ側へ接続するとともに、スイッチ６７を６７ｃ側へ接続することによって、１／２分周器２０１とベクトル合成器２０２、２０３との間に１／２分周器２０５がさらに挿入されることとなる。そして、分周器２０５と混合器４９、移相器４９ｃをオンとする。これによって局部発振器５６の信号は１／４の周波数に分周される。
【００７２】
では次に、省電力モードについて説明する。ＶＨＦハイバンド受信時には、通常モードで受信する場合に比べ、さらに、混合器４９ｂ、移相器４９ｃもオフとするとともに、スイッチ２０４は２０４ａ側とし、スイッチ６７は６７ｂ側へ接続される。これにより、局部発振器５６からの信号が分周器２０１で１／２の周波数へ分周されて混合器４９ａへ供給されることとなる。
【００７３】
次に、ＶＨＦロウバンド受信時には、通常モードで受信する場合に比べて、さらに混合器４９ｂ、移相器４９ｃもオフとする。さらに、スイッチ２０４は２０４ｂ側とし、スイッチ６７は６７ｃ側とする。これにより局部発振器５６からの信号が分周器２０１と分周器２０５によって１／４の周波数へ分周されて混合器４９ａへ供給されることとなる。
【００７４】
そして各周波数帯域受信時における各回路の動作関係と、各スイッチの切替えとの関係を（表１）に示す。
【００７５】
【表１】
2006067284.tif 000003
【００７６】
次に本実施の形態における分周器２０１、２０５の動作について図面を用いて説明する。図６は、本実施の形態１における信号のタイムチャートである。
【００７７】
図６において、信号１００１、１００２は局部発振器５６の発振信号であり、互いに位相が１８０度異なっている。そしてこの信号１００１、１００２が供給された分周器２０１は、互いに位相が９０度異なる出力１００３、１００４、１００５、１００６を出力する。一方、分周器２０５には信号１００５、１００６とが供給される。これによって、分周器２０５は、４つの互いに９０度位相が異なる信号１００７、１００８、１００９、１０１０を出力する。
【００７８】
以上の構成により、ＩＲＭとＤＢＭとを切替えて使用できるので、イメージ妨害などがない場合には、消費電力の小さなＤＢＭとして動作できる。従って、消費電力の小さな携帯型受信装置を実現できる。
【００７９】
なお、本実施の形態１において１／２分周器２０１、２０５はフリップフロップ回路によって構成されている。従って、構成が容易であり、集積回路内へも収納しやすくなる。
【００８０】
さらに、局部発振器５６を分周して局部発振信号を得る構成においては、分周器４８のみで移相器を構成できるので、ＩＲＭの回路構成を小規模に抑えることができる。
【００８１】
さらにまた、本実施の形態１においては、分周器２０５への入力は信号１００５、１００６としたが、これは出力１００３、１００４としても良い。この場合においても互いに位相が９０度異なる信号１０１１、１０１２、１０１３、１０１４を得ることができる。つまり、分周器２０５は、位相が１８０度異なる信号が入力されれば、互いに９０度異なる４つの信号が出力される。
【００８２】
それに加えて、ＩＲＭによってイメージ妨害を低減することができるので、単同調フィルタ６２や複同調フィルタ６４におけるイメージ妨害を発生する原因の信号に対する減衰量を緩和させることができる。例えば、複同調フィルタ６４の替わりに、ＶＨＦロウバンド受信時とＶＨＦハイバンド受信時とで夫々のカットオフ周波数を、ＶＨＦロウバンド放送帯域上限周波数とＶＨＦハイバンド放送帯域上限周波数とで切り替えるロウパスフィルタを用いることができる。
【００８３】
また、局部発振器５６には、受信する受信帯域に応じて発振信号を単同調フィルタ６２や複同調フィルタ６４の周波数特性に連動するように変化させるので、同調電圧に対する局部発振器の発振周波数の範囲を広くすることができ、たとえＵＨＦ放送帯域とＶＨＦ放送帯域との間のチャンネルが連続していたとしても受信することができる。従って、ＴＶ放送においては、連続するＶＨＦ放送帯域とＵＨＦ放送帯域の広帯域なチャンネルを受信できる高周波受信装置を実現することができる。
【００８４】
そして、発振周波数変化手段によって受信する受信帯域に応じて発振信号を単同調フィルタ６２や複同調フィルタ６４の周波数特性に連動するように変化させるので、受信希望チャンネルにおける単同調フィルタ６２や複同調フィルタ６４における通過帯域の中心周波数と、受信希望チャンネル信号の周波数とを近づけることができる。従って、単同調フィルタ６２や複同調フィルタ６４は、不要な妨害信号を減衰させることができ、イメージ妨害を、さらに低減できる。
【００８５】
また、本発明の実施の形態１においては、発振部７１、スイッチ７４と７７、分周器５７と４８、混合器５５と４９及びＰＬＬ回路７８とが１つのパッケージに集積された集積回路となっている。これにより、高周波受信装置を小型化することができる。
【００８６】
（実施の形態２）
以下に実施の形態２における混合器について図面を用いて説明する。図７は、本実施の形態２における混合器のブロック図である。本実施の形態２は、実施の形態１に対し、ベクトル合成器２０２，２０３とリミッタ回路２０６，２０７およびスイッチ２０８，２０９（混合器入力切替え手段の一例として用いた）とが追加されたものであり、実施の形態１と同じものは、同じ番号としその説明は簡略化している。
【００８７】
図７において、分周器２０１の４つの出力の夫々にスイッチ６７が接続される。そしてこのスイッチ６７は、その共通端子にベクトル合成器２０２と２０３とが接続され、端子６７ｂ側にこのとき、分周器２０１ｂ側の出力もこのベクトル合成器２０２へ接続され、分周器２０１の４つの出力が接続される。また、２０６及び２０７はリミッタ回路であり、ベクトル合成器２０２，２０３の出力が接続されている。これらリミッタ回路は、ベクトル合成器からの入力信号をある一定のレベルに制限して混合器４９へ供給するものである。２０８は、スイッチ（混合器入力切替え手段の一例として用いた）であり、このスイッチ２０８の一方の入力２０８ａにはリミッタ２０６の出力が接続されるとともに、他方の入力２０８ｂにはスイッチ６７の共通端子が接続される。そしてこのスイッチ２０８の共通端子は、混合器４９ａへ接続される。
【００８８】
２０９は、スイッチであり、このスイッチ２０９の一方の入力２０９ａにはリミッタ２０７の出力が接続されると共に、他方の入力２０９ｂにはスイッチ６７の共通端子が接続される。そしてこのスイッチ２０９の共通端子は、混合器４９ｂへ接続される。
【００８９】
次に本実施の形態２におけるベクトル合成器２０２，２０３の動作について説明する。これらのベクトル合成器２０２，２０３は、位相０度の信号（信号１００３あるいは１００７）と位相９０度の信号（信号１００５あるいは１００９）と位相１８０度の信号（信号１００４あるいは１００９）と位相２７０度との信号（信号１００６あるいは１０１０）との信号を合成し、位相が９０度ずつ異なった４つの信号を発生させるものである。
【００９０】
具体的には、ベクトル合成器２０２では、位相０度と９０度との信号から位相４５度の信号を作成するとともに、位相１８０度と２７０度との信号から２２５度の信号を作成する。一方、ベクトル合成器２０３では、位相９０度と１８０度との信号から位相１３５度の信号を作成するとともに、位相０度と２７０度との信号から位相３１５度の信号を作成する。これによりベクトル合成器２０２と２０３は、お互いに位相が９０度異なった信号を得ている。
【００９１】
では、本実施の形態２においてテレビ放送を受信する場合の混合器の動作を詳細に説明する。まず通常モードについて説明する。通常モードでＶＨＦハイバンドを受信する場合、分周器２０１、ベクトル合成器２０２，２０３、リミッタ回路２０６，２０７、混合器４９ａ，４９ｂと移相器４９ｃとがオンとなり、分周器２０５のみオフとなる。そして、スイッチ２０４は２０４ａ側とし、スイッチ６７は６７ｂ側とし、スイッチ２０８は２０８ａ側としさらにスイッチ２０９は２０９ａ側とする。これにより、ベクトル合成器２０２，２０３から、互いに位相が９０度異なり、局部発振器５６から供給される信号を１／２の周波数の信号が出力される。そして、この信号が、混合器４９ａと４９ｂの夫々へ供給され、ＩＲＭとして動作する。一方、ＶＨＦロウバンド受信時にはスイッチ２０４を２０４ｂ側へ切替え、スイッチ６７を６７ｃ側へ切替える。これにより、局部発振器５６から供給される信号の１／４の周波数であり、かつ互いに９０度位相の異なった信号が混合器４９ａ，４９ｂへ供給され、ＩＲＭとして動作する。
【００９２】
次に、省電力モードにおける混合器の動作を通常モードと比べて説明する。まず、ＶＨＦハイバンドを受信する場合、通常モードと比べてベクトル合成器２０２，２０３、リミッタ回路２０６，２０７、混合器４９ｂ、移相器４９ｃをオフとする。さらに、スイッチ２０８を２０８ｂ側へ切替える。これにより、分周器２０１ａで１／２の周波数へ分周した信号を混合器４９ａへ供給するとともに、混合器４９ａのみを動作させることで、ＤＢＭとして動作するので消費電力を小さくできる。
【００９３】
次に、ＶＨＦロウバンドを受信する場合、通常モードと比べてベクトル合成器２０２，２０３、リミッタ回路２０６，２０７、混合器４９ｂ、移相器４９ｃとをオフにする。さらに、スイッチ２０８を２０８ｂ側へ切替える。これにより、分周器２０１で１／２の周波数へ分周した信号を混合器４９ａへ供給するとともに、混合器４９ａのみを動作させることで、ＤＢＭとして動作するので、消費電力を小さくできる。
【００９４】
これらの各モードにおける各回路とスイッチの切替えの関係を（表２）に示す。
【００９５】
【表２】
2006067284.tif 000004
【００９６】
なお、イメージ妨害信号のレベルが小さい場合には、ベクトル合成を行わなくてもよい。そこで、本実施の形態２においては、さらにリミッタ回路２０７と混合器４９ｂとの間にスイッチ２０９を設けている。そしてこのスイッチ２０９の２０９ａ側へリミッタ回路２０７を接続し、２０９ｂ側へはスイッチ６７の共通端子が接続され、このスイッチ２０９の共通端子が混合器４９ｂへ接続される。これによって、スイッチ２０８を２０８ｂ側へ接続するとともに、スイッチ２０９を２０９ｂ側へ接続し、ベクトル合成器２０２，２０３とリミッタ回路２０６，２０７とをオフとすれば、実施の形態１における通常モードと同じ構成となる。この場合、実施の形態２における通常モードよりもベクトル合成器２０２，２０３とリミッタ回路２０６，２０７とを動作させない分だけ消費電力を小さくできる。
【００９７】
なお、本実施の形態２では、ベクトル合成器２０２，２０３とリミッタ回路２０６，２０７を設けているので、分周器２０１，２０５により位相誤差が発生した場合でも、９０度位相の異なる信号を確実に得ることができる。従って、本発明のような広い帯域の周波数に対し、精度の良い位相を有した信号を得ることができるので、イメージ妨害を発生する信号に対する抑圧量を大きくできる。
【００９８】
（実施の形態３）
以下実施の形態３について図面を用いて説明する。図８は、実施の形態３における高周波受信装置のブロック図である。なお、図８において図２と同じものについては同じ番号を付し、その説明は簡略化している。
【００９９】
図８において、実施の形態３における発振器３５６は、７００ＭＨｚから１７００ＭＨｚの周波数を発振する。つまり、実施の形態１の２倍の周波数を発振する局部発振器である。この場合、インダクタ３６８と可変容量ダイオード３６９とによって７００ＭＨｚから１７００ＭＨｚの周波数を発振させる。そして、キャパシタ３７２、３７３、３７５、３７６の値を適宜選定し、各受信バンド帯に対し、局部発振器３５６の周波数と、単同調フィルタ５２、６２や複同調フィルタ５４、６４の通過周波数との間の差が略中間周波数（４５．７５ＭＨｚ）となるように、単同調フィルタ５２、６２や複同調フィルタ５４、６４ならびに局部発振器３５６の同調電圧に対する変化特性を近似させる。
【０１００】
次に本実施の形態３においては、混合器３５５もＩＲＭの構成であり、分周器３６６ａの分周比は、１／４であり、分周器３６６ｂの分周比を１／８としている。そして、さらに局部発振器３５６と混合器３５５との間にも分周器３５７とスイッチ６７ａとが挿入されている。そして、これらの混合器３５５、３６５の出力は共に出力端子７９へ接続され、この出力端子７９の信号が中間周波フィルタ５８に供給される。そして、この混合器３５５はＵＨＦバンドを受信する場合に使用され、混合器３６５は、ＶＨＦバンドを受信する場合に使用される。
【０１０１】
３７３は、分周器３６６と、混合器３５５及び混合器３６５に接続された混合器電源制御器である。この電源制御器３７３の制御端子３７３ａには、イメージ妨害判定器４４（図１に示す）から出力される制御信号が供給され、この信号に応じて、分周器３６６や混合器３５５あるいは混合器３６５の一部の回路をオン・オフするものである。
【０１０２】
次に、分周器３５７、３６６および混合器３５５、３６５について図面を用いて詳細に説明する。図９は、本実施の形態３における分周器と混合器部分の詳細ブロック図である。なお、図９において図２や図５、図６と同じものについては、同じ番号を付し、その説明は簡略化している。
【０１０３】
図９において、３５５ａはその一方の入力に複同調フィルタ５４の出力５４ｂが接続されると共に、他方の入力にはリミッタ回路２０６の出力が供給される混合器である。３５５ｂはその一方の入力に複同調フィルタ５４の出力５４ｂが接続されると共に、他方の入力にはリミッタ回路２０７の出力が供給される混合器であり、この混合器３５５ｂの出力には９０度移相器３５５ｃが設けられている。そしてこの混合器３５５ａは、混合器３５５ｂと９０度移相器３５５ｃとの直列接続体と並列に接続され、これら混合器３５５ａの出力と９０度移相器３５５ｃの出力とが出力端子７９へ供給されることとなる。
【０１０４】
一方、３６５ａは、その一方の入力に複同調フィルタ６４の出力６４ｂが接続されると共に、他方の入力にはリミッタ回路２０６の出力が供給される混合器である。また、３６５ｂは、その一方の入力に複同調フィルタ６４の出力６４ｂが接続されると共に、他方の入力にはリミッタ回路２０７の出力が供給される混合器であり、この混合器３６５ｂの出力には９０度移相器３６５ｃが設けられている。そしてこの混合器３６５ａは、混合器３６５ｂと９０度移相器３６５ｃとの直列接続体と並列に接続され、これら混合器３６５ａの出力と９０度移相器３６５ｃの出力とは出力端子７９へ供給されている。
【０１０５】
次に、本実施の形態３においてスイッチ６７は、３つの入力を有する切替スイッチであり、このスイッチ６７の共通端子がベクトル合成器２０２、２０３の入力に接続されている。さらに、スイッチ６７の端子６７ａと局部発振器３５６との間には、１／２分周器４０２を挿入する。そしてこの１／２分周器４０２は、局部発振器３５６より入力した信号を１／２の周波数へ分周するとともに、互いに９０度位相が異なる４つの信号を出力する。
【０１０６】
次に、分周器４０２の２本の出力４０２ｃがスイッチ４０１の共通端子へ接続され、このスイッチ４０１の一方の端子４０１ａがスイッチ６７の端子６７ａに接続される。そして、スイッチ４０１の他方の端子４０１ｂが１／２分周器２０１の入力へ接続されるものである。本実施の形態３において、分周器４０２からは、位相０度、位相９０度、位相１８０度と、２７０度との信号が出力されている。なお、分周器２０１への入力信号は、１８０度の位相差であればよく、分周器４０２からの位相９０度の信号と位相２７０度の信号とを用いても構わない。
【０１０７】
４０３は、スイッチ６７の共通端子のうちの２つと、混合器３５５ａと混合器３６５ａの夫々の入力との間に挿入されたスイッチである。このスイッチ４０３は、スイッチ６７から供給された信号を、ベクトル合成器２０２，２０３へ供給するか、あるいは混合器３５５ａ，３６５ａへ供給するかを切替えるものである。
【０１０８】
このような構成において、テレビ放送を受信する場合の混合器の動作について説明する。まず通常モードにおける動作を説明する。
【０１０９】
ＵＨＦバンドを受信する場合には、スイッチ４０１を端子４０１ａ側へ接続するとともに、スイッチ６７を端子６７ａ側へ接続し、スイッチ４０３を４０３ａ側へ接続することによって、ベクトル合成器２０２，２０３へは局部発振器３５６の１／２の周波数信号が供給される。ここで、混合器３６５と移相器３６５ｃとは、ＶＨＦバンド受信用の混合器であるので、オフとする。そして、分周器２０１，２０５とはオフとし、これらの回路以外の回路はオン状態とする。これにより、混合器３５５ａ，３５５ｂへは、位相が互いに９０度異なり、かつ分周器４０２で１／２の周波数へ分周された局部発振器５６の信号が供給されるので、ＩＲＭとして動作する。
【０１１０】
次に、ＶＨＦハイバンド受信時には、スイッチ４０１を端子４０１ｂ側へ接続するとともに、スイッチ６７を端子６７ｂ側に接続し、さらにスイッチ２０４を端子２０４ａ側へ接続し、スイッチ４０３を４０３ａ側へ接続することによって、１／２分周器４０２と１／２分周器２０１とが挿入されることとなる。ここで、混合器３５５、移相器３５５ｃとは、ＵＨＦ受信用混合器であるので、オフとする。さらに、分周器２０５もオフとする。これにより、混合器３６５ａ，３６５ｂへは、位相が互いに９０度異なり、かつ局部発振器３５６の１／４の周波数信号が供給されることとなり、混合器はＩＲＭとして動作する。
【０１１１】
そして最後にＶＨＦロウバンド受信時には、スイッチ４０１を端子４０１ｂ側へ接続するとともに、スイッチ６７を端子６７ｃ側に接続し、さらにスイッチ２０４を端子２０４ｂ側へ接続し、スイッチ４０３を４０３ａ側へ接続する。ここで、混合器３５５と移相器３５５ｃとはＵＨＦ受信用混合器であるので、オフとする。これにより、１／２分周器４０２，２０１，２０５の３つの分周器が挿入されることとなる。このようにすることによって、混合器３６５ａ，３６５ｂへは、位相が互いに９０度異なり、かつ局部発振器３５６の１／８の周波数信号が供給されることとなり、混合器はＩＲＭとして動作する。
【０１１２】
次に、省電力モードでテレビ放送を受信する場合について、通常モードからの変更点を説明する。まず、ＵＨＦハイバンド受信時には、通常モードに比べベクトル合成器２０２，２０３、リミッタ回路２０６，２０７、混合器３５５ｂおよび移相器３５５ｃとをさらにオフとする。さらに、スイッチ４０３を４０３ｂ側へ接続する。これにより、局部発振器３５６の発振信号が、分周器４０２によって１／２の周波数へ分周される。そして、この分周器４０２から出力される互いに位相が１８０度異なる信号が、ベクトル合成器２０２、リミッタ回路２０６を介さないで混合器３５５ａへ供給されることにより、混合器はＤＢＭとして動作する。
【０１１３】
ＶＨＦハイバンド受信時には、通常モードに比べて、ベクトル合成器２０２，２０３、リミッタ回路２０６，２０７、混合器３６５ｂ、移相器３６５ｃとをさらにオフとする。さらに、スイッチ４０３を４０３ｂ側へ接続する。これにより、局部発振器３５６の発振信号が、分周器４０２ｂ，２０１とによって１／４の周波数へ分周される。そして、この分周器２０１から出力される互いに位相が１８０度異なる信号が、ベクトル合成器２０２、リミッタ回路２０６を介さないで混合器３６５ａへ供給されることにより、混合器はＤＢＭとして動作する。
【０１１４】
最後にＶＨＦロウバンド受信時には、通常モードに比べて、ベクトル合成器２０２，２０３、リミッタ回路２０６，２０７、そして移相器３６５ｃとをオフとし、さらに、スイッチ４０３を４０３ｂ側へ接続する。これにより、局部発振器３５６の発振信号が、分周器４０２ｂ，２０１ｂ，２０５ａとによって１／８の周波数へ分周される。そして、この分周器２０５ａから出力される互いに位相が１８０度異なる信号が、ベクトル合成器２０２、リミッタ回路２０６を介さないで混合器３６５ａへ供給されることにより、混合器はＤＢＭとして動作する。そして各モードにおいて各放送バンドを受信する場合の各回路とスイッチとの関係について（表３）を示す。
【０１１５】
【表３】
2006067284.tif 000005
【０１１６】
以上の構成により、省電力モードにおいてＤＢＭとして動作するので、低消費電力な高周波受信装置を実現できる。
【０１１７】
さらに、通常モードで受信する場合、ベクトル合成器２０２，２０３には受信する帯域に係わらず位相が互いに９０度異なる４つの信号が供給されることとなる。そして、ＵＨＦ放送を受信する場合に、受信希望信号とベクトル合成器２０２，２０３の出力信号とを混合器３５５ａ，３５５ｂと９０度移相器３５５ｃを用いて混合する。これにより、ＵＨＦ信号受信部にもＩＲＭが構成されるので、ＵＨＦ放送を受信する場合においてもイメージ妨害を低減することができる。
【０１１８】
そして、ＩＲＭによってイメージ妨害を低減することができるので、単同調フィルタ５２や複同調フィルタ５４におけるイメージ妨害を発生する原因の信号に対する減衰量を緩和させることができる。例えば、複同調フィルタ５４の替わりに、ＵＨＦ放送帯域以上の信号を通過させるハイパスフィルタを用いることができる。
【０１１９】
また、ベクトル合成を行うことによって分周器４０２や、分周器２０１、分周器２０５の出力信号に位相誤差が発生しても補正することができるので、広帯域に精度良く９０度位相差を得ることができる。従って、ＵＨＦ放送受信時においても妨害に強い高周波受信装置を実現することができる。
【０１２０】
（実施の形態４）
本実施の形態４では、実施の形態１におけるＶＨＦ信号受信部６１に対して、ＶＨＦハイバンドに対してはＩＲＭを用い、ＶＨＦロウバンド受信に対してはハーモニック・リジェクション・ミキサ（以降、ＨＲＭという）を用いている。
【０１２１】
以下実施の形態４について、図面を用いて説明する。図１０は、本実施の形態４における高周波受信装置のブロック図である。図１０において、図２と同じものについては同じ番号を付しその説明は簡略化している。
【０１２２】
図１０において、５１は入力端子である。この入力端子５１には５５．２５ＭＨｚから８０１．２５ＭＨｚまでの高周波信号が入力されるものである。
【０１２３】
５６０は、単同調フィルタ５２、高周波増幅器５３、複同調フィルタ５４、混合器５５によって構成されるＵＨＦ信号受信部である。
【０１２４】
次に５６１は、入力端子５１の信号が供給されるＶＨＦ信号受信部であり、５５．２５ＭＨｚから３６１．２５ＭＨｚまでのＶＨＦ放送帯域の信号を受信するものである。なお、このＶＨＦ信号受信部５６１は、単同調フィルタ６２、高周波増幅器６３、ロウパスフィルタ５６４及び混合器５６５とがこの順に接続されている。
【０１２５】
５６４は高周波増幅器６３の出力が接続されたロウパスフィルタである。このロウパスフィルタ５６４は３６１．２５ＭＨｚ以下のＶＨＦ放送帯域の信号を通過させるものである。
【０１２６】
５６５は混合器であり、ロウパスフィルタ５６４の出力信号５６４ａがその一方に入力されるとともに、局部発振器５６の出力信号が分周器５６６を介してその他方に入力されている。ここで、この混合器５６５は、ロウパスフィルタ５６４を通過したＶＨＦ放送帯域の信号と局部発振器５６の信号とを混合して、中間周波信号（４５．７５ＭＨｚ）へ変換するものである。そして、この混合器５６５の出力は、出力端子７９を介して中間周波フィルタ５８の入力に接続される。
【０１２７】
ここで分周器５６６は、ＶＨＦロウバンド放送帯域受信時の分周器５６６ｂとＶＨＦハイバンド放送帯域受信時の分周器５６６ａとを有している。そして６７は、これら局部発振器５６の出力や分周器５６６ａ、５６６ｂの出力を選択的に切り替えて、混合器５６５へ供給する切り替えである。
【０１２８】
５６７は、イメージ妨害判定器４４（図１に示す）の出力がその制御端子５６７ａに接続された電源制御回路である。そしてこの電源制御回路５６７は、イメージ妨害判定器４４からの制御信号に応じて、分周器５６６や混合器５６５の一部の電源をオン・オフする。
【０１２９】
次に、本実施の形態４における高周波受信装置で、テレビ放送を受信する場合について説明する。本実施の形態４においてＵＨＦ放送を受信する受信機部は、実施の形態１と同一であるので、ここではＶＨＦハイバンド放送帯域ＶＨＦロウバンド放送帯域を受信する場合について説明する。
【０１３０】
ＶＨＦハイバンド放送帯域受信時において局部発振器５６は、３５８ＭＨｚから８１４ＭＨｚまでの周波数を発振し、ＶＨＦロウバンド放送帯域受信時には、４０４ＭＨｚから６９２ＭＨｚまでの周波数を発振することができる。
【０１３１】
ＶＨＦハイバンド放送帯域受信時には、局部発振器５６の発振信号は分周器５６６ａで１／２に分周されて混合器５６５に供給されることにより４５．７５ＭＨｚの中間周波信号を得ている。最後にＮＴＳＣ方式の放送においてはＶＨＦロウバンド放送帯域受信時に、局部発振器５６の発振信号は分周器５６６ｂで１／４に分周されて混合器５６５に供給することにより４５．７５ＭＨｚの中間周波信号を得ている。
【０１３２】
次に本実施の形態４における分周器５６６と混合器５６５とについて図面を用いて詳細に説明する。図１１は、分周器５６６と混合器５６５の詳細図である。図１１において、図５と同じものについては同じ番号を付し、その説明は簡略化している。
【０１３３】
図１１において、混合器５６５は、混合器４９ａと、これと並列に混合器４９ｂとこの混合器４９ｂの出力に接続された９０度移相器４９ｃが接続されている。そして、この混合器４９ａの一方の入力にはロウパスフィルタ５６４の出力５６４ａが接続されるとともに、他方の入力にはリミッタ回路２０６の出力が接続されている。一方、混合器４９ｂの一方の入力にはロウパスフィルタ５６４の出力５６４ａが接続されるとともに、他方の入力にはリミッタ回路２０７の出力が接続されている。
【０１３４】
スイッチ６７の共通端子は、１／２分周器２０１の出力端子２０１ｃ，２０１ｄに接続され、スイッチ６７の一方の端子６７ｄがベクトル合成器２０２，２０３へ接続される。
【０１３５】
次に６０１と６０２は、スイッチ６７の他方の端子６７ｅが接続された１／２分周器であり、共に１／２分周器２０１からの信号を１／２の周波数へ分周するものであり、分周器２０１の夫々からは、互いに位相が９０度異なった４つの信号が出力される。そして、１／２分周器６０１には、１／２分周器２０１から出力される互いに１８０度位相が異なる信号がスイッチ６７を介して供給される。一方、１／２分周器６０２には１／２分周器２０１から出力される互いに１８０度位相が異なる信号がスイッチ６７を介して供給される。
【０１３６】
そして６０３、６０４は、１／２分周器６０１の互いに９０度異なる４つの出力信号が入力され、これらの信号をベクトル合成するベクトル合成器である。また、６０５、６０６は、１／２分周器６０２の互いに９０度異なる４つの出力信号が入力され、これらの信号をベクトル合成するベクトル合成器である。
【０１３７】
６０７、６０８、６０９、６１０はベクトル合成器６０３、６０４、６０５、６０６の夫々の出力が接続されたリミッタ回路である。そして、混合器５６５ｄ、５６５ｆ、５６５ｈ、５６５ｊの一方の入力には、夫々のリミッタ回路６０７、６０８、６０９、６１０の出力信号が入力されるとともに、他方の入力にはロウパスフィルタ５６４の出力５６４ａが接続されている。
【０１３８】
そして、混合器５６５ｄの出力には１３５度の移相器５６５ｅが接続され、混合器５６５ｆの出力には４５度の移相器５６５ｇが接続され、混合器５６５ｈの出力には９０度の移相器５６５ｉが接続され、これら混合器５６５ｄ、５６５ｆ、５６５ｈ、５６５ｊの出力が出力端子７９へ接続されている。
【０１３９】
本実施の形態４において、分周器２０１の出力をベクトル合成器２０２やリミッタ回路２０６を介さずに、混合器４９ａへ直接入力するためのスイッチ６１１を設けている。また、分周器６０２の出力をベクトル合成器６０６やリミッタ回路６１０を介さずに、混合器５６５ｊへ直接入力するためのスイッチ６１２を設けている。
【０１４０】
ここで、本実施の形態４において、テレビ放送を受信する場合の動作について説明する。通常モードにおいて、ＶＨＦハイバンド受信時には、スイッチ６７を端子６７ｄ側へ接続し、スイッチ６１１はオフとする。さらに、分周器２０１とベクトル合成器２０２，２０３、リミッタ回路２０６，２０７とをオンとし、それ以外の回路はオフとする。これにより、分周器２０１によって局部発振器５６の周波数の１／２の周波数へと分周される。そして、分周器２０１からは、互いに位相が９０度異なった信号が出力され、ベクトル合成器２０２，２０３と、リミッタ回路２０６，２０７を介して、混合器４９ａ，４９ｂへ供給されるので、混合器はＩＲＭとして動作する。
【０１４１】
一方、ＶＨＦロウバンド受信時には、スイッチ６７を端子６７ｅ側へ接続し、スイッチ６１２をオフとする。さらに、ベクトル合成器２０２，２０３やリミッタ回路２０６，２０７、混合器４９ａ，４９ｂ、移相器４９ｃの回路をオフとする。これにより、１／２分周器２０１の出力を分周器６０１，６０２へ供給し、局部発振器５６の周波数の１／４の周波数を得ている。これにより、分周器２０１と分周器６０１，６０２によって局部発振器５６の周波数の１／４の周波数へと分周される。そして分周器６０１，６０２からは、互いに位相が９０度異なった信号が出力され、ベクトル合成器２０２，２０３と、リミッタ回路２０６，２０７を介して、混合器４９ａ，４９ｂへ供給されるので、混合器はＩＲＭとして動作する。
【０１４２】
次に、ＶＨＦロウバンドを受信する場合、スイッチ６７を端子６７ｅ側へ接続し、スイッチ６１２をオフとする。さらに、分周器２０１，６０２、ベクトル合成器６０５，６０６、リミッタ回路６０９，６１０、混合器５６５ｈ，５６５ｊ、ならびに移相器５６５ｉとをオンとし、それ以外はオフとする。これにより、局部発振器５６の信号は分周器２０１，６０２によって１／４の周波数へ分周される。そして、この分周器６０２へ位相が１８０度異なった信号が出力され、ベクトル合成器６０５，６０６、リミッタ回路６０９，６１０を介して、互いに９０度異なる信号が混合器５６５ｈ，５６５ｊへ供給されるので、混合器はＩＲＭとして動作する。
【０１４３】
次に、省電力モードにおいてテレビ放送を受信する場合の動作について、通常モードの場合と比較して説明する。この省電力モードにおいて、ＶＨＦハイバンドを受信する場合、通常モードに比べて、スイッチ６７を６７ｄ側へ接続し、スイッチ６１１をオンとし、ベクトル合成器２０２，２０３とリミッタ回路２０６，２０７及び、混合器４９ｂ、移相器４９ｃとをさらにオフとする。これにより、分周器２０１の出力が、ベクトル合成器２０２やリミッタ回路２０６を介さないで、混合器４９ｂへ直接供給されるので、混合器はＤＢＭとして動作する。
【０１４４】
一方、ＶＨＦロウバンドを受信する場合、通常モードに対し、スイッチ６１２をオンとし、ベクトル合成器６０５，６０６、リミッタ回路６０９，６１０及び混合器５６５ｈ、移相器５６５ｉとをさらにオフとする。これにより、分周器６０２ｂの出力がベクトル合成器６０６、リミッタ回路６１０を介さずに混合器５６５ｊへ直接供給されるので、混合器はＤＢＭとして動作する。
【０１４５】
そしてさらに、本実施の形態４では、ＶＨＦロウバンドを受信する場合に混合器をＨＲＭとして動作させる高品質モードを設けている。この高品質モードでは、スイッチ６７を６７ｅ側へ接続し、スイッチ６１２をオフとする。さらに、ベクトル合成器２０２，２０３、リミッタ回路２０６，２０７及び混合器４９ａ，４９ｂと移相器４９ｃとをオフとし、それ以外の回路をオンとして動作させる。これにより、分周器２０１と分周器６０１および分周器２０１と分周器６０２とによって、局部発振器５６の発振信号は１／４の周波数へ分周される。そしてこの分周器６０１，６０２から互いに４５度位相が異なった４つの信号が夫々に出力され、ベクトル合成器６０３，６０４，６０５，６０６やリミッタ回路６０７，６０８，６０９，６１０を介して混合器５６５ｄ，５６５ｆ，５６５ｈ，５６５ｊの夫々へ供給されるので、混合器はＨＲＭとして動作する。
【０１４６】
そしてこれらの各回路の動作とスイッチの接続の関係は（表４）に示している。
【０１４７】
【表４】
2006067284.tif 000006
【０１４８】
以上のように、混合器をＶＨＦロウバンドに対してはＨＲＭ，ＩＲＭ，ＤＲＭの３つの構成を選択でき、ＶＨＦハイバンドに対してはＩＲＭ，ＤＢＭの２つの構成の選択ができる。これにより、イメージ妨害がないような場合には、ＤＢＭ構成へ切替えて動作させることができるので、消費電力の小さな携帯受信装置を実現できる。
【０１４９】
次に、本実施の形態４における分周器２０１、６０１、６０２ならびにベクトル合成器２０２、２０３、６０３、６０４、６０５、６０６の動作について図面を用いて説明する。図１２は、本実施の形態４における分周器６０１、６０２の信号タイムチャートである。図１２において、図６と同じものについては同じ番号を付しその説明は簡略化している。
【０１５０】
図１２において、１０２１、１０２２、１０２３、１０２４は、分周器６０１からの出力信号であり、分周器２０１の出力１００３、１００４の２つの信号を分周して得ている。なお、本実施の形態４においては、信号１０２１の位相が０度であり、信号１０２２の位相が９０度であり、信号１０２３の位相が１８０度であり、信号１０２４の位相が２７０度である。
【０１５１】
また、１０２５、１０２６、１０２７、１０２８は、分周器６０２の出力信号であり、分周器２０１の出力信号１００５、１００６の２つの信号を分周し得ている。なお、本実施の形態４において、信号１０２５の位相が４５度であり、信号１０２６の位相が１３５度であり、信号１０２７の位相が２２５度であり、信号１０２８の位相が３１５度である。
【０１５２】
これによって、局部発振器５６の発振信号は所定の周波数へ分周され、ベクトル合成器６０３、６０４、６０５、６０６から互いに位相が４５度異なった８つの信号１０２１、１０２２、１０２３、１０２４、１０２５、１０２６、１０２７、１０２８が出力されることとなる。つまり、ベクトル合成器６０３は、位相９０度の信号１０２２と位相１８０度の信号１０２３とを合成して、位相１３５度の信号を出力するとともに、位相０度の信号１０２１と位相２７０度の信号１０２４とを合成して、位相３１５度の信号を出力する。一方、ベクトル合成器６０４は、位相０度の信号１０２１と位相９０度の信号１０２２とを合成して、位相４５度の信号を出力するとともに、位相１８０度の信号１０２３と位相２７０度の信号１０２４とを合成して、位相２２５度の信号を出力する。
【０１５３】
さらに、ベクトル合成器６０５は、位相４５度の信号１０２５と位相１３５度の信号１０２６とを合成して、位相９０度の信号を出力するとともに、位相２２５度の信号１０２７と位相３１５度の信号１０２８とを合成して、位相２７０度の信号を出力する。そして最後にベクトル合成器６０６は、位相４５度の信号１０２５と位相３１５度の信号１０２８とを合成して、位相０度の信号を出力するとともに、位相１３５度の信号１０２６と位相２２５度の信号１０２７とを合成して、位相１８０度の信号を出力する。
【０１５４】
以上の構成によって、分周器２０１、６０１、６０２によって分周するとともに移相動作も行う。これによって、ＶＨＦハイバンド受信時には、混合器４９ａと４９ｂとでＩＲＭを構成し、ＶＨＦロウバンド受信時には、混合器５６５ｄ、５６５ｆ、５６５ｈ、５６５ｊとでＨＲＭを構成する。従って、ＶＨＦハイバンド放送に対しては、イメージ妨害を低減することができる。また、ＶＨＦロウバンド放送に対しては、発明者らが特願２００２−３４２００４で記載したように、高次のローカル高調波による妨害を低減させることができる。なお、本実施の形態４におけるＨＲＭは４つの混合器より構成されるので、ＶＨＦロウバンド受信時の分周器５６６ｂの出力信号の５倍以下の高調波による妨害を低減することができる。
【０１５５】
また、このように局部発振器と分周器を備えた受信装置においては、ＶＨＦハイバンド用の分周器よりＶＨＦロウバンド用の分周器のほうが分周比を小さく設定するため、ＶＨＦハイバンドでＩＲＭを構成し、高次ＬＯ高調波の妨害が発生するＶＨＦロウバンドでＨＲＭを構成することができる。
【０１５６】
なお、このようにＩＲＭ及びＨＲＭによってイメージ妨害及びローカル高調波妨害を低減することができるので、本実施の形態４に示すように、ロウパスフィルタ５６４にロウパスフィルタを用いることができる。さらに、ＶＨＦロウバンドでＨＲＭ構成とすることで、ローカル高調波と妨害関係となるＶＨＦハイバンド放送信号の影響を低減できるため、ＶＨＦロウバンド用として同調フィルタなどを備える必要がなく、固定のＶＨＦロウパスフィルタ５６４のみで構成することができる。従って、低価格な高周波受信装置を実現することができる。また、固定フィルタであるので、希望信号自体の通過損失は小さくできる。従って、Ｃ／Ｎの良好な高周波受信装置を実現することができる。
【０１５７】
さらに、本実施の形態４において１／２分周器２０１、６０１、６０２はすべてフリップフロップ回路によって構成されている。従って、構成が容易であり、集積回路内へも収納しやすくなる。
【０１５８】
さらにまた、ベクトル合成器２０２、２０３、６０３、６０４、６０５、６０６を設けているので、分周器２０１、６０１、６０２からの出力信号に位相誤差が発生しても、精度良く位相の異なる信号を得ることができる。従って、ＶＨＦ帯域のように広い帯域の周波数に対し、精度の良い位相を有した信号を得ることができ、イメージ妨害及びローカル高調波妨害に対して安定して抑圧することができる。
【０１５９】
また、本発明の実施の形態４においては、発振部７１、スイッチ７４と７７、分周器５６６、混合器５５と５６５及びＰＬＬ回路７８とが１つのパッケージに集積された集積回路となっている。これにより、高周波受信装置を小型化することができる。
【０１６０】
（実施の形態５）
本実施の形態５における高周波受信装置は、ＶＨＦロウバンド放送の受信時にはＨＲＭとし、ＶＨＦハイバンド放送の受信時にはＨＲＭの一部を利用することによってＩＲＭとして働かせることができる構成としたものである。従って、混合回路の一部を共有することによって、回路構成規模の小型化と低価格化に寄与するものである。
【０１６１】
以下に実施の形態５について図面を用いて詳細に説明する。図１３は本実施の形態５における分周器と混合器との詳細ブロック図である。図１３において図５、図９、図１０と同じものについては同じ番号を付し、その説明は簡略化している。
【０１６２】
以下その構成について図１３を用いて詳細に説明する。本実施の形態５においては、実施の形態２（図７）に示したＩＲＭに対し、１／２分周器２０１の出力２０１ｃとスイッチ６７の端子６７ｂとの間にスイッチ７０１が挿入される。なおこのスイッチ７０１は、１／２分周器２０１の出力がスイッチ７０１の共通端子へ供給されるとともに、その一方の端子７０１ａがスイッチ６７の端子６７ｂへ接続される。
【０１６３】
さらに、リミッタ回路２０６と混合器４９ａとの間に挿入されたスイッチ２０８に代えて、スイッチ７０４を設ける。そして、このスイッチ７０４は、スイッチ６７の共通端子と、混合器４９ａとの間にスイッチ７０４を設けることにより、分周器２０１あるいは、２０５の出力をベクトル合成器２０２、２０３やリミッタ回路２０６、２０７を介して混合器４９ａ，４９ｂへ供給する。一方、スイッチ７０１の他方の端子７０１ｂの出力は１／２分周器６０１へと供給される。
【０１６４】
従って、通常モード、省電力モード共に、ＶＨＦハイバンドとＶＨＦロウバンドの受信は、実施の形態２と同じとなる。ただし、スイッチ７０４は、通常モードの場合に７０４ａ側へ接続し、省電力モードの場合は、７０４ｂ側へ切替える。
【０１６５】
これにより混合器は、通常モードではＩＲＭとして動作し、省電力モードにおいては、ＤＢＭとして動作するので、消費電力の小さな携帯受信装置を実現できる。
【０１６６】
さらに、本実施の形態５においても実施の形態４と同様に高品質モードを有している。これは、ＶＨＦロウバンド受信時に、スイッチ７０１を端子７０１ｂ側へ接続するとともにスイッチ２０４を端子２０４ｂ側とし、さらにスイッチ６７を端子６７ｃ側へ接続し、スイッチ７０４は７０４ａ側へ接続する。これにより、局部発振器５６の周波数信号は、分周器２０１と分周器２０５そして、分周器２０１と分周器６０１とによって１／４の信号へ分周される。そして、これらの分周器２０５，６０１から互いに位相が９０度異なった信号が出力され、ベクトル合成器６０３，６０４とリミッタ回路６０７，６０８を介して混合器５６５ｄ，５６５ｆへ夫々に供給されるので、混合器はＨＲＭとして動作するものである。
【０１６７】
これらの回路とスイッチとの関係について（表５）に示す。
【０１６８】
【表５】
2006067284.tif 000007
【０１６９】
以上のような構成によって、ＶＨＦロウバンド受信時にＨＲＭとして動作させることができ、ＶＨＦハイバンド受信時にはＩＲＭとして働くので、混合器４９はＶＨＦ放送の全体域に対し共用することができる。従って、回路規模を小さくでき、小型な高周波受信装置を実現することができる。
【産業上の利用可能性】
【０１７０】
本発明にかかる混合器とこれを用いた高周波受信装置ならびにこれらを用いた携帯受信装置は、イメージ妨害の有無に応じて混合器構成を変化させることによって、消費電力が小さくなるという効果を有し、テレビ受信用の電子チューナなどの広帯域な高周波信号を受信する高周波受信装置に対し有用である。
【図面の簡単な説明】
【０１７１】
【図１】本発明の実施の形態１における携帯型受信装置のブロック図
【図２】同、高周波受信装置のブロック図
【図３】同、ＵＨＦ帯を受信する同調フィルタの回路図
【図４】同、ＶＨＦ帯を受信する同調フィルタの回路図
【図５】同、分周器と混合器との詳細ブロック図
【図６】同、信号図
【図７】本発明の実施の形態２における分周器と混合器との詳細ブロック図
【図８】本発明の実施の形態３における高周波受信装置のブロック図
【図９】同、分周器と混合器との詳細ブロック図
【図１０】本発明の実施の形態４における高周波受信装置のブロック図
【図１１】同、分周器と混合器との詳細ブロック図
【図１２】同、信号図
【図１３】本発明の実施の形態５における分周器と混合器との詳細ブロック図
【図１４】従来の高周波受信装置のブロック図
【符号の説明】
【０１７２】
４４  イメージ妨害判定器
４７  電源制御器
４９  混合器
５１  高周波信号入力端子
５２  単同調フィルタ
５４  複同調フィルタ
５９  出力端子
６２  単同調フィルタ
６４  複同調フィルタ
【図１】
2006067284.tif 000008
【図２】
2006067284.tif 000009
【図３】
2006067284.tif 000010
【図４】
2006067284.tif 000011
【図５】
2006067284.tif 000012
【図６】
2006067284.tif 000013
【図７】
2006067284.tif 000014
【図８】
2006067284.tif 000015
【図９】
2006067284.tif 000016
【図１０】
2006067284.tif 000017
【図１１】
2006067284.tif 000018
【図１２】
2006067284.tif 000019
【図１３】
2006067284.tif 000020
【図１４】
2006067284.tif 000021